(57)【要約】【課題】カメラで記録画質をＲＡＷ＋ＪＰＥＧモードで撮影するとメモリカードには撮影１枚当たりファイルを２つずつ書き込むこととなり、使い勝手がよくなかった。【解決手段】ＲＡＷ画像データおよび現像済み画像データの少なくともいずれかを記録媒体に記録する記録手段と、外部の装置と通信する通信手段を有し、通信手段を介して外部の装置に対してＲＡＷ画像データを転送する際に、転送対象のＲＡＷ画像データに対して現像処理を施して現像済み画像データを生成し、このとき生成した現像済み画像データも外部の装置に対して転送する。【選択図】図４
2018207424.tif 000002
【特許請求の範囲】
【請求項１】
被写体像を撮像してＲＡＷ画像データを生成する撮像手段と、
前記ＲＡＷ画像データに現像処理を施して現像済み画像データを生成する現像手段と、
前記ＲＡＷ画像データおよび前記現像済み画像データの少なくともいずれかを記録媒体に記録する記録手段と、
外部の装置と通信する通信手段を有し、
前記通信手段を介して前記外部の装置に対して前記撮像装置から前記ＲＡＷ画像データを転送する際に、転送対象のＲＡＷ画像データに対して現像処理を施して現像済み画像データを生成し、このとき生成した現像済み画像データも前記外部の装置に対して転送することで、前記外部の装置の保存先には前記ＲＡＷ画像データと現像済み画像データを組ファイルとして保存させることを特徴とする情報転送装置。
【請求項２】
前記転送対象のＲＡＷ画像データの現像処理は、前記転送対象の転送処理と並行して現像済み画像データを生成することを特徴とする請求項１に記載の情報転送装置。
【発明の詳細な説明】
【技術分野】
【０００１】
本発明は、ＲＡＷ画像を記録できる撮像装置及びその制御方法に関する。
【背景技術】
【０００２】
従来、デジタルカメラ等の撮像装置では、撮像センサ部によって得られた生の画像（ＲＡＷ画像）に現像処理（画像として認識できる形式の画像データを生成する処理）を施し、圧縮符号化して記録媒体に記録することが一般的に行われている。
【０００３】
一方、ＲＡＷ画像を記録できる撮像装置も存在する（特許文献１）。ＲＡＷ画像はＪＰＥＧ形式などと比較して記録に必要なデータ量が膨大になるが、画質の劣化を最低限に抑えられるという利点がある。
【先行技術文献】
【特許文献】
【０００４】
【特許文献１】特開２０１１−２４４４２３号公報
【発明の概要】
【発明が解決しようとする課題】
【０００５】
画質の劣化を起こしたくない撮影や撮影後に画像調整を詳細に施したい場合などＲＡＷ画像を利用しているユーザは多いがＲＡＷ画像は閲覧するのに特別なアプリケーションが必要になることもあるため、汎用アプリケーションの利用目的や、撮影画像を容易かつ高速に閲覧セレクトするためにＲＡＷ画像とＪＰＥＧ画像を同一ファイル名の組ファイルとするＲＡＷ＋ＪＰＥＧの記録画質を利用して撮影するユーザも多い。
【０００６】
しかしながら、カメラで記録画質をＲＡＷ＋ＪＰＥＧモードで撮影するとメモリカードには撮影１枚当たりファイルを２つずつ書き込むこととなり、撮影１枚当たりのメモリカードの消費量が増えてしまうために高速書き込みが可能な高価なメモリカードを用意しなければならない場合がある。また、連続撮影でのバースト枚数が落ちてしまうなど撮影時におけるレスポンスの低下を引き起こしてしまう。
【０００７】
ＲＡＷ＋ＪＰＥＧモードで撮影した恩恵を受けるのは主に撮影画像をパソコンに転送した後のパソコン上での画像閲覧や編集作業においての利便性において効果を発揮するものであって、ＲＡＷ＋ＪＰＥＧ画像がカメラの中にあったとしてもカメラでの操作においてその恩恵を受けることは少なく、むしろ撮影時のストレスを発生してしまう影響の方が大きかった。
【０００８】
本発明は、上記課題に鑑みてなされ、撮影時のストレス発生を回避しつつ、後工程のパソコンでのセレクトや編集作業においてＲＡＷ＋ＪＰＥＧモードで撮影したのと同様に画像を効率良く活用することができる撮像装置およびその制御方法を実現することを目的としている。
【課題を解決するための手段】
【０００９】
上記の目的を達成するために、本発明に係る撮像装置は、
被写体像を撮像してＲＡＷ画像データを生成する撮像手段と、前記ＲＡＷ画像データに現像処理を施して現像済み画像データを生成する現像手段と、前記ＲＡＷ画像データおよび前記現像済み画像データの少なくともいずれかを記録媒体に記録する記録手段と、外部の装置と通信する通信手段を有し、前記通信手段を介して前記外部の装置に対して前記撮像装置から前記ＲＡＷ画像データを転送する際に転送対象のＲＡＷ画像データに対して現像処理を施して現像済み画像データを生成し、このとき生成した現像済み画像データも前記外部の装置に対して転送することで、前記外部の装置の保存先には前記ＲＡＷ画像データと現像済み画像データを組ファイルとして保存させることを特徴とする。
【発明の効果】
【００１０】
本発明によれば、撮影時のストレス発生を回避しつつ、後工程のパソコンでの作業において多くの汎用アプリケーションが利用でき、セレクトや編集作業におけるＲＡＷ＋ＪＰＥＧモードで撮影したのと同様に撮影画像を効率良く活用することができる撮像装置を提供することができる。
【図面の簡単な説明】
【００１１】
【図１】本実施形態に係る撮像装置の構成を示すブロック図
【図２】本実施形態に係る外部装置の構成を示すブロック図
【図３】本実施形態に係る外部装置に撮影画像を転送する処理を示すシーケンス図
【図４】本実施形態に係る外部装置にＲＡＷ画像を転送と同時にＪＰＥＧ生成処理を示すシーケンス図
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１３】
以下、本実施形態の撮像装置として、静止画や動画のＲＡＷ画像データを撮影し記録可能なデジタルカメラを適用した例について説明する。なお、本実施形態では、撮像装置１００としてデジタルカメラを例示しているが、カメラ付き携帯電話やその一種であるスマートフォン（眼鏡型端末や腕時計型端末を含む）、タブレット端末、カメラ付きのパーソナルコンピュータ（ＰＣ）などの情報処理装置であってもよい。
【００１４】
＜装置構成＞
図１は、本実施形態の撮像装置１００の構成を例示するブロック図である。これらの機能ブロックは、ＡＳＩＣなどの専用ハードウェアによって実現されてもよいし、ＭＰＵ等の汎用プロセッサがプログラムを実行することによりソフトウェア的に実現されてもよい。
【００１５】
図１において、制御部１６１は、ＣＰＵ、ＭＰＵなどのプログラマブルプロセッサと、プログラマブルプロセッサが実行する制御プログラムを格納する不揮発性メモリを含み、撮像装置１００の全体の処理を制御する。なお、図１では煩雑さを避けるために一部しか記載していないが、制御や通信を行うための信号線が制御部１６１から各機能ブロックに接続されている。操作部１６２は、ユーザが撮像装置１００に対して指示を与えるために用いるキーやボタン、タッチパネルなどの入力デバイスを含む。操作部１６２からの操作信号は、制御部１６１によって検出され、制御部１６１は検出した操作に応じた動作が実行されるように他の機能ブロックなどを制御する。表示部１２３は、表示処理部１２２を通じて提供される、撮像装置１００で撮影もしくは再生された画像や、メニュー画面、各種情報等を表示する。表示部１２３は例えば液晶ディスプレイ（ＬＣＤ）等を含む。
【００１６】
操作部１６２によって撮像装置１００の電源が投入されると、制御部１６１は撮像装置１００を撮影待機状態とする。撮影待機状態において、撮像対象となる被写体像は、撮像光学部１０１を介して撮像センサ部１０２に結像し、ライブビューモードの場合は撮像センサ部１０２により撮像された画像をライブビュー表示する。操作部１６２からの記録開始の指示に応答して制御部１６１は撮影処理および記録処理を開始させる。撮像光学部１０１及び撮像センサ部１０２の動作は、評価値算出部１０５により取得される絞り、フォーカス、手ぶれ等の評価値算出結果や、認識部１３１からの被写体情報に基づいて、カメラ制御部１０４によって制御される。
【００１７】
撮像センサ部１０２は、画素毎に配置される赤、緑、青（ＲＧＢ）のカラーフィルタを透過した光を電気信号に変換する。例えばＣＣＤイメージセンサやＣＭＯＳイメージセンサであってよい。撮像装置１００が扱う画像の画素配列は例えば、赤（Ｒ）、緑（Ｇ）、青（Ｂ）を画素毎にモザイク状に配置し、２×２の４画素につき赤１画素、青１画素、緑２画素を１セットにして規則的に並べられた構造となっている。このようなカラーフィルタの配列は、一般に原色ベイヤー配列と呼ばれる。本実施形態の撮像センサ部１０２は、４Ｋ（横３８４０画素×縦２１６０画素）の画素数を有するものとするが、これ以上の画素数とすることも可能である。また、本実施形態の撮像センサ部１０２は、１フレーム４Ｋの画像データを６０フレーム毎秒（ｆｐｓ）で出力する能力を有する。なお、カラーフィルタを構成する色や配列は原色ベイヤー配列に限定されず、他の任意の配列を採用することができる。
【００１８】
撮像センサ部１０２により得られた画像信号は、センサ信号処理部１０３によって画素の修復処理が施される。修復処理には、撮像センサ部１０２における欠落画素や信頼性の低い画素の値に対し、周辺画素値を用いて修復対象の画素を補間したり、所定のオフセット値を減算したりする処理が含まれる。本実施形態では、センサ信号処理部１０３から出力される画像データを、未現像の画像を意味するＲＡＷ画像データ又はＲＡＷ画像という。
【００１９】
センサ信号処理部１０３から出力されたＲＡＷ画像データは、現像部１１０で現像処理される。現像部１１０は、複数の異なる現像処理部を有し、それぞれ、処理精度と処理負荷の優先度が異なっている。本実施形態の現像部１１０は、第１の現像処理を行う簡易現像部１１１と、第２の現像処理を行う高画質現像部１１２という２つの現像部を有し、それらの出力を選択するスイッチ部１２１を含んで構成される。簡易現像部１１１、高画質現像部１１２は共に、ＲＡＷ画像に対してデベイヤー処理（デモザイク処理もしくは色補間処理とも呼ばれる）、ホワイトバランス調整、ＲＧＢ（原色）→ＹＵＶ（輝度と色差）変換、ノイズ低減、光学歪の補正などの現像処理を行う。なお、これらは現像処理に含まれる処理の例示であり、これらの全てが現像処理に必須であることを意味しない。他の処理が含まれてもよいし、一部が含まれなくてもよい。
【００２０】
高画質現像部１１２は、簡易現像部１１１よりも各々の処理を高精度に行う。高精度であるため、簡易現像部１１１よりも高画質な現像画像が得られるが、一方で、処理負荷が大きい。他方、簡易現像部１１１は、高画質現像部１１２よりも処理の精度が低いため、得られる画質は高画質現像部１１２よりも低いものの、撮影中に高速に現像処理を行うことができる。
【００２１】
なお、本実施形態では、現像部１１０の中に簡易現像部１１１と高画質現像部１１２が独立に存在する構成を示しているが、１つの現像部が動作モードを切り替えて、簡易現像と高画質現像の処理を排他的に行う構成としてもよい。また、複数の現像部は互いに処理負荷が異なっていればよく、処理する画像のサイズと処理精度の両方を下げることは必須ではない。例えば、処理する画素数は同一であるが、処理精度が異なっている現像部や、処理精度は同一であるが処理する画素数が異なっている現像部が含まれていてもよい。ただし、撮影された画像の現像処理が、次の画像の撮影開始までに完了できる現像部が少なくとも１つ含まれるようにする。
【００２２】
なお、図１ではセンサ信号処理部１０３からのＲＡＷ画像データが現像部１１０の中の簡易現像部１１１と高画質現像部１１２に入力されるように図示しているが、これは同一のＲＡＷ画像データに対して両方の現像部で現像処理を行うことを意味していない。処理負荷の観点から、基本的には１つの現像部だけが現像処理を実行する。従って、ＲＡＷ画像データが入力される現像部を切り替えるようにスイッチ部１２１が設けられても良い。
【００２３】
現像部１１０によって現像処理された画像データ（現像済み画像データ）は、表示処理部１２２によって所定の処理がなされた後、表示部１２３に表示される。また、現像処理された画像データは、映像出力端子１２４により、外部に接続された表示機器に出力してもよい。映像出力端子１２４は、例えばＨＤＭＩ（登録商標）やＳＤＩのような汎用インタフェースを含む。
【００２４】
また、現像部１１０によって現像処理された画像データは、評価値算出部１０５にも供給される。評価値算出部１０５は、現像済み画像データからフォーカス状態や露出状態などの評価値を算出する。これらの評価値は例えば制御部１６１による自動焦点検出や自動露出制御に用いられる。
【００２５】
さらに、現像部１１０によって現像処理された画像データは、認識部１３１にも供給される。認識部１３１は、画像データ中の被写体情報を検出及び認識する機能を有する。認識部１３１は、例えば、画像データに基づいて表示される画像に含まれる人物の顔を検出し、検出された場合は顔の位置や大きさなどを示す情報を出力する。認識部１３１はさらに顔などの特徴情報に基づいて特定の人物の認証などを行ってもよい。
【００２６】
さらにまた、現像部１１０によって現像処理された画像データは、静止画圧縮部１４１及び動画圧縮部１４２にも供給される。現像済み画像データから静止画ファイルを生成する場合は、静止画圧縮部１４１を用いる。静止画圧縮部１４１は、ＪＰＥＧ等の公知の符号化方式に従って静止画データを圧縮符号化し静止画ファイルを生成する。現像済み画像データから動画ファイルを生成する場合は、動画圧縮部１４２を用いる。動画圧縮部１４２は、Ｈ．２６４、Ｈ．２６５等の公知の符号化方式に従って動画データを圧縮符号化し動画ファイルを生成する。静止画圧縮部１４１及び動画圧縮部１４２は、それぞれ対象となる画像データを高能率符号化（圧縮符号化）し、情報量が圧縮された画像ファイルを生成して、記録再生部１５１に送出する。
【００２７】
ＲＡＷ圧縮部１１３は、センサ信号処理部１０３から出力されたＲＡＷ画像データにウエーブレット変換や差分符号化等の高能率符号化処理を適用し、情報量を削減した圧縮ＲＡＷファイルを生成する。ＲＡＷ圧縮部１１３は、圧縮ＲＡＷファイルをバッファ部１１５に格納する。なお、バッファ部１１５はメモリやハードディスクなど、任意の記憶装置であってよい。また、圧縮ＲＡＷファイルは、バッファ部１１５に保存しておいてもよいし、バッファ部１１５への格納後に別の記録媒体に移動させてバッファ部１１５から削除してもよい。
【００２８】
記録再生部１５１は、静止画圧縮部１４１からの静止画ファイルや、動画圧縮部１４２からの動画ファイルを記録媒体１５２に記録する。また、記録再生部１５１は、バッファ部１１５から読み出した静止画及び／又は動画のＲＡＷファイルを、圧縮符号化後の静止画ファイル及び動画ファイルとは別個のファイルとして記録媒体１５２に記録する。また記録再生部１５１は、ＦＡＴ等の公知のファイルシステムに従い、記録媒体１５２に記録されたファイルを管理する。記録媒体１５２は、例えば内蔵式の大容量メモリやハードディスク、又は、着脱式のメモリカード等である。また、記録再生部１５１は、記録媒体１５２から静止画ファイル、動画ファイル、ＲＡＷファイルを読み出すこともできる。
【００２９】
このようにして、撮像装置１００は撮影の記録画質設定に従い記録媒体１５２にはＪＰＥＧファイル、ＲＡＷファイル、ＲＡＷ＋ＪＰＥＧファイルや、動画ファイルなどが生成される事となる。
【００３０】
また、通信部１５３は通信端子１５４を通じ、無線通信や有線通信によりコンピュータネットワークや外部機器へのアクセスを撮像装置１００に提供する。通信部１５３は後述するＰＣ２０１とＬＡＮ（Ｌｏｃａｌ  Ａｒｅａ  Ｎｅｔｗｏｒｋ）やＵＳＢ（Ｕｎｉｖｅｒｓａｌ  Ｓｅｒｉａｌ  Ｂｕｓ）などのインタフェースを介して接続を行い、静止画ファイル、動画ファイル、ＲＡＷファイルなどの撮影画像をＰＣ２０１へ転送することで外部機器において撮像装置１００の撮影画像を活用する事を可能としている。
【００３１】
＜外部機器ＰＣの説明＞
図２は本実施例の外部機器となるパーソナルコンピュータ（ＰＣ）２０１の概略構成を示すブロック図である。
【００３２】
２５１はＣＰＵ、２５２は内部メモリ、２５３はグラフィックコントローラを含む表示器であり、外部モニタ装置２０４と接続される場合や内蔵のモニタを有する場合もある。２５４はキーボード、２５５はマウス、２５６は通信ポートであり、これを介して撮像装置１００の通信部１５３との通信を可能にしている。２５７はＨＤなどのディスクメモリである。２５７は必ずしもディスク形状の媒体でなくても、フラッシュメモリの様にディスク同様に扱える記憶装置でもよい。２５８はＰＣ内の電源である。
【００３３】
モニタ装置２０４は、ＰＣ２０１に接続されており、カメラ内画像の閲覧や、撮影パラメータ操作画面や、ライブビュー画像表示画面を含む各種画面を表示する。このような画像取り込みやリモート撮影システムのアプリケーションプログラムはＨＤ２５７に記憶されており、ユーザオペレーションやカメラデバイス検出などのトリガで起動されＣＰＵ２５１で実行される。
【００３４】
＜転送のシーケンス図説明＞
次に、図３のシーケンス図を参照して、本実施形態の撮像装置１００の撮影画像をＰＣ２０１内のＨＤ２５７に転送し保存する動作について説明する。
【００３５】
図３において、撮像装置１００の通信部１５３とＰＣ２０１の通信ポート２５６との接続が確立すると、ＰＣ２０１ではアプリケーションプログラムが起動され、Ｓ３０１においてＰＣ２０１からファイルリストの取得要求が発行される。ファイルリストの取得要求が発行されると撮像装置１００では記録媒体１５２に記録されている静止画ファイル、動画ファイル、ＲＡＷファイルなどのファイル情報を列挙し、そのファイル名やファイルサイズ、ファイルハンドルなどの情報を含むファイルリスト情報を作成してＳ３０２においてＰＣ２０１に通知する。
【００３６】
ＰＣ２０１はファイルリスト情報を受け取ると図示しないファイル取り込み管理情報などに照らし合わせるなどして転送するべきファイルを決定する。この転送するべきファイルの決定はオペレータが決定するようにしてもよい。
【００３７】
転送するファイルが決定すると、まずＳ３０３においてファイルハンドルを指定しファイルの読み込み要求がＰＣ２０１から発行される。ファイルの読み込み要求が発行されると撮像装置１００では記録媒体１５２から対象のファイルデータを読み込んでバッファ部１１５へ展開される。展開が正常に行われると転送準備完了となりＳ３０４でＰＣ２０１に対して準備が出来たことを通知する。
【００３８】
ＰＣ２０１では読み込み準備が出来た通知を受けるとＳ３０５〜Ｓ３０７においてファイルデータの転送要求を発行する。Ｓ３０６ではデータの転送ブロックに応じて分割転送のリクエストが行われその要求に従ってＳ３０７においてファイルデータが送られる。送られたデータはＳ３０５でファイルのデータサイズ分繰り返されすべてのデータが転送されるとＨＤ２５７にファイルを生成し保存される。
【００３９】
ファイルの転送が終わるとＳ３０７においてＰＣ２０１より転送が正常に行えた事を撮像装置１００に対して発行される。Ｓ３０７の通知を受けて撮像装置１００ではバッファ部１１５に確保した領域を解放させ転送手続きが終了したことをＰＣ２０１に通知する。
複数のファイルの転送が行われる場合は、上記Ｓ３０３〜Ｓ３０８を繰り返し、転送するべきファイル全ての転送を達成する。
【００４０】
以上のように、撮像装置１００では記録媒体１５２に記録されている対象ファイルをＰＣ２０１に転送することで撮像装置１００の撮影画像をＰＣ２０１で活用できるようになる。この際に撮像装置１００で予め撮影時にＲＡＷ＋ＪＰＥＧとして撮影された画像ファイルについては同一ファイル名で拡張子のみが異なるファイルとして転送先のＨＤ２５７でも維持するなど、組ファイルであることを管理するようにアプリケーションプログラムはファイル管理制御する。
【００４１】
＜転送同時現像のシーケンス図説明＞
次に、図４のシーケンス図を参照して、本実施形態のＲＡＷファイルを転送時に撮像装置１００で現像させることでＰＣ２０１内のＨＤ２５７に転送し保存する際にはＲＡＷ＋ＪＰＥＧとして保存させる動作について説明する。
【００４２】
図４において、図３同様に撮像装置１００の通信部１５３とＰＣ２０１の通信ポート２５６との接続が確立すると、ＰＣ２０１ではアプリケーションプログラムが起動され、Ｓ３０１においてＰＣ２０１からファイルリストの取得要求が発行される。ファイルリストの取得要求が発行されると撮像装置１００では記録媒体１５２に記録されている静止画ファイル、動画ファイル、ＲＡＷファイルなどのファイル情報を列挙し、そのファイル名やファイルサイズ、ファイルハンドルなどの情報を含むファイルリスト情報を作成してＳ３０２においてＰＣ２０１に通知する。Ｓ３０２で通知されたリスト内容を解析する事により、記録媒体１５２に記録されている対象ファイルがＪＰＥＧファイルなのか、ＲＡＷファイルなのかＲＡＷ＋ＪＰＥＧファイルなのか動画ファイルなのかが分かる。
【００４３】
転送時にＲＡＷ＋ＪＰＥＧを生成する対象となるファイルはＲＡＷファイルのみとなるので以下のシーケンスはＲＡＷファイルの転送の時のみに適用し、それ以外のファイルは図３で説明した転送シーケンスが実行される。
【００４４】
ＲＡＷファイルの転送が検出されるとＳ４０３においてファイルハンドルを指定しファイルの現像要求がＰＣ２０１から発行される。このとき組ファイルとするＪＰＥＧファイルの解像度や圧縮率をＰＣ２０１側から指定するようにしてもよい。ファイルの現像要求が発行されると撮像装置１００では記録媒体１５２から対象のファイルデータを読み込んでバッファ部１１５へ展開されＳ４０４にてＰＣ２０１に通知するとともにＳ４０５に示すようにＲＡＷ伸張部１１４は、バッファ部１１５に格納されている圧縮ＲＡＷファイルを読み出し、ＲＡＷ画像データに伸長し復号する。ＲＡＷ伸張部１１４によって復号されたＲＡＷ画像データは、現像部１１０の高画質現像部１１２に供給され現像が開始される。この時の現像パラメータは撮影時のものと同様であり、そのパラメータ値はＳ４０６においてイベントとしてＰＣ２０１に通知する。
【００４５】
なお、本実施例では使用しないが、転送実行前に撮影パラメータを変更する必要があることが予め分かっている場合には、Ｓ４０６を受けた後に変更したい現像パラメータを撮像装置１００に発行する事で撮影時設定ではないＲＡＷ＋ＪＰＥＧをＰＣ２０１に転送させることも可能である。この場合、ＲＡＷファイルにも現像パラメータを変更したレシピを合わせて付帯するとよい。
【００４６】
Ｓ４０４の通知を受けてＰＣ２０１は図３で説明したＳ３０５〜Ｓ３０７同様にＳ４０７〜Ｓ４０９においてＲＡＷファイルの転送を実施する。
【００４７】
ＲＡＷ画像データは容量が大きいので、このように記録媒体１５２から読み出しバッファ部１１５に格納した情報を転送と現像で兼用する事により記録媒体１５２からの重複読みを回避しパフォーマンスを上げることが可能になり、またバッファ部１１５の消費メモリも有効活用できる。
【００４８】
また、外部機器へのＲＡＷファイル転送と並行して現像処理を行うことで予め撮影時に記録画質をＲＡＷ＋ＪＰＥＧを指定して記録媒体１５２に既にあるＲＡＷファイルとＪＰＥＧファイルを転送する時間と大きな時間差を発生することなくＲＡＷファイルとＪＰＥＧファイルの転送が達成できる。
【００４９】
前記転送と並列してＳ４０５で開始した現像処理はＳ４１０において現像部１１０によって現像処理された画像データは、静止画圧縮部１４１を経て、ＪＰＥＧ等の公知の符号化方式に従って静止画データを圧縮符号化し静止画ファイルを生成するがこの場合記録媒体１５２には記録せず、バッファ部１１５に仮想的にファイルハンドルを生成させＰＣ２０１にファイルサイズ等のファイル情報を含めてイベントとして通知する。Ｓ４１０の通知イベントはＲＡＷファイル転送中のＳ４０７〜Ｓ４０９の途中であってもよい。
【００５０】
Ｓ４１０の通知を受けてＰＣ２０１はＳ４１１〜Ｓ４１３においてＪＰＥＧファイルの転送を実施する。この際に転送されるＪＰＥＧファイルはＳ４０７〜Ｓ４０９において転送しＨＤ２５７にファイルを生成し保存したＲＡＷファイルと同一ファイル名で拡張子のみが異なるファイルなど、組ファイルであることを管理するようにアプリケーションプログラムはファイル管理制御する。
【００５１】
このようにＲＡＷファイルとＪＰＥＧファイルの転送が終了したならばＳ４１４においてＰＣ２０１より転送が正常に行えた事を撮像装置１００に対して発行される。Ｓ４１４の通知を受けて撮像装置１００ではバッファ部１１５に確保した領域を解放させるとともにＳ４１５においてＪＰＥＧファイル用として確保したバッファ部１１５やワークメモリを開放してＳ４１６で転送手続きが終了したことをＰＣ２０１に通知する。
【００５２】
複数のファイルの転送が行われる場合は、同様に上記Ｓ４０３〜Ｓ４１６を繰り返し、転送するべきファイル全ての転送を達成する。
【符号の説明】
【００５３】
１００  撮像装置、１６１  制御部、１６２  操作部
【図１】
2018207424.tif 000003
【図２】
2018207424.tif 000004
【図３】
2018207424.tif 000005
【図４】
2018207424.tif 000006